(57)【要約】      （修正有）【課題】放熱フィンユニットを発熱体に固定する係合具をフィンに加重を分散して固定する放熱器係合具を提供する。【解決手段】放熱器係合具は、複数の放熱フィンを備える放熱フィンユニット２、及び加圧面３１を備える加圧固定部材３からなり、該各放熱フィンは少なくとも１個のスリットを備え、一群のフィンには該スリットに連通する凹型溝を設けてフィンユニットに該係合具の係合具本体アーム４１を該スリットを相通すると共にその底端に達する凹溝に収容した加圧固定部材３を該アームを介して押圧することにより、荷重を分散してフィンユニットを固定する。【選択図】図３
0003150350.tif 000002
【実用新案登録請求の範囲】
【請求項１】
放熱器の放熱フィンユニットを相手側接続台に押圧固定する係合具であって、
複数の放熱フィンを備える放熱フィンユニット、及び少なくとも１個のフィン加圧面を備える少なくとも１個の加圧固定部材を具え、
該各放熱フィンには、少なくとも１個の該係合具本体アームを挿通するスリットを設けるとともに一群の放熱フィンには該スリットに連通してその底部に達する凹型溝を形成して、これらからなるフィンユニットに加圧固定部材を収容してその加圧面に対応する凹溝を形成し、
該加圧固定部材は、該スリット低部に至る凹溝に対して配置され、その上面の加圧面を係合具本体アームにより押圧固定したことを特徴とする、放熱器の放熱フィンユニット係合具。
【請求項２】
前記各放熱フィン間には、適当な間隔距離を設けたことを特徴とする、請求項１記載の放熱器の放熱フィンユニット係合具。
【請求項３】
前記加圧固定部材側辺には、放熱フィンを一定間隔に保つ嵌合溝を設けた少なくとも１個の嵌合ブロックを具えたことを特徴とする、請求項２記載の放熱器の放熱フィンユニット係合具。
【請求項４】
前記加圧固定部材は、該加圧面の反対面に放熱フィンを一定間隔に保つ少なくとも１個の嵌合溝を備え、該放熱フィンは、該嵌合溝に嵌合されたことを特徴とする、請求項２記載の放熱器の放熱フィンユニット係合具。
【請求項５】
該係合具は、上記スリットを挿通して放熱フィンを固定するための該加圧面を押圧する係合具本体アームを備え、かつ該係合具本体アームの一端には相手側接続台側の係合部材に相対する係合設置部を設置したことを特徴とする、請求項１記載の放熱器の放熱フィンユニット係合具。
【請求項６】
前記係合設置部には、相手側接続台側の係合部材に相対して係合する嵌設部と該嵌設部を上下移動させる偏心カムを設けたことを特徴とする、請求項５記載の放熱器の放熱フィンユニット係合具。
【請求項７】
前記偏心カムには、操作レバーを設けたことを特徴とする、請求項６記載の放放熱器の放熱フィンユニット係合具。
【請求項８】
前記各放熱フィンには、少なくとも１個のヒートシンク熱導管を貫通して設置したことを特徴とする、請求項１記載の放熱器の放熱フィンユニット係合具。
【請求項９】
前記スリットの切欠の形状は、円弧状、V字状、コの字状の内のいずれかであることを特徴とする、請求項１記載の放熱器の放熱フィンユニット係合具。
【考案の詳細な説明】
【技術分野】
【０００１】
本考案は、放熱器の放熱フィンを固定する係合具に関し、特に放熱フィンを固定する時、放熱フィンが受ける力を分散し、これにより応力が集中して変形が生じることを回避可能な放熱器の放熱フィンユニット係合具に関するものである。
【背景技術】
【０００２】
IT製品（コンピューター等）の使用は日に日に普及し、応用範囲も広がっている。
IT産業における急速な技術発展に対応するため、IT製品の演算速度は高速化し、アクセス容量も増大しており、このためIT製品中のパーツは高速作動時に高熱を発生するようになっている。
コンピューター係合具本体アームにおける発熱では、内部の中央処理ユニット(CPU)が発生する熱が大部分を占める。
CPUの熱が徐々に溜まって行き、熱の累積がその許容限度を超えると、コンピューターはシャットダウンしてしまう。
しかも、電磁波ノイズの問題を解決するため、通常はケースでコンピューター係合具本体アームを封鎖するため、CPU及び他の発熱パーツの熱エネルギーを、いかにして迅速に外部へ排出するかは、重大な問題である。
【０００３】
一般に、中央処理ユニットに適用する放熱の方式は、放熱器を使用するもので、該放熱器は主に、放熱フィンにより熱エネルギー伝導を行う。
該放熱器の片側には、複数の放熱フィンを設置し、反対側は中央処理ユニットに接触して熱エネルギーを該放熱フィン端に伝導する。
さらに、放射冷却、或いはこれと組み合わせて設置するファンにより、熱エネルギーを迅速に発散させる。
よって、放熱フィンと放熱フィンの間は、放熱器上に固定して定位する必要がある。
【０００４】
従来の技術の立体分解図及び立体状態模式図である図１、図２に示すように、放熱器1片側には、複数の放熱フィン11を備える。
該各放熱フィン11は相互にスタッキングして設置され、該各放熱フィン11は複数の熱導管111が同時に貫通する。
さらに該各放熱フィン11外側には、係合具係合具本体アーム12を嵌設する。
該係合具係合具本体アーム12は該放熱フィン11を取り囲んで設置し、該係合具係合具本体アーム12両端には、嵌設部121を設置する。
該嵌設部121は、それぞれ相手側接続台(図示なし)上に係合して設置し、片側の該嵌設部121上には操作部122を設置する。
該放熱フィン11外側には、さらに固定嵌合部13を係合して設置し、該固定嵌合部13は、該放熱フィン11を囲んで設置され、該固定嵌合部13は、該係合具係合具本体アーム12下側に接触する。
これにより、使用者が該操作部122を操作すると、該係合具係合具本体アーム12を押圧して該固定嵌合部13を下方へと押し、該固定嵌合部13は、該各放熱フィン11を固定する。
【０００５】
一方、該係合具係合具本体アーム12を下方へと該固定嵌合部13を押すと、該係合具係合具本体アーム12が加える加圧力は、一点に集中し、さらに、該固定嵌合部13の荷重を受ける面積が小さく、しかも該固定嵌合部13の下方には、他に支えがないため、該固定嵌合部13が受ける応力が集中し、該放熱フィン11は、応力が集中し、かつ分散できないことにより、変形してしまう。
また、該放熱器1の放熱フィン11の個数が増えると、該固定嵌合部13は、該放熱フィン11相互間の位置を効果的に固定することができないため、該放熱器1の放熱効率に大きく影響を及ぼしてしまう。
すなわち、従来の放熱器1には以下のような欠点が存在している。
1.応力の集中を招き易い。
2.応力を分散することができない。
3.放熱フィンに変形の問題がある。
4.放熱器の放熱効率に影響を及ぼす。
本考案は、従来の放熱器の上記した欠点に鑑みてなされたものである。
【先行技術文献】
【特許文献】
【０００６】
【特許文献１】特開２００２−２８０４９４号公報
【考案の概要】
【考案が解決しようとする課題】
【０００７】
本考案が解決しようとする第一の課題は、放熱フィンユニットの各放熱フィンが、加圧固定部材において、スリット位置に対応して接続する時、該各放熱フィンは固定定位効果を達成することができる放熱器係合具を提供することである。
本考案が解決しようとする第二の課題は、放熱フィンユニット上に係合具の係合具本体アームを嵌設し、加圧固定部材に圧力が加わる時、加圧固定部材は係合具係合具本体アームを支える加圧面を増設し、同時に放熱フィンによっても支えるため、係合具が加える嵌合の応力を効果的に分散かつ受け止めることができ、こうして放熱フィンが単独で過大な力を受けることで、変形を生じる問題を改善可能な放熱器係合具を提供することである。
【課題を解決するための手段】
【０００８】
上記課題を解決するため、本考案は下記の放熱器係合具を提供する。
放熱器係合具は、複数の放熱フィンを備える放熱フィンユニット、及び加圧面を備える加圧固定部材からなり、
該各放熱フィンは、係合具本体アームを挿通する少なくとも１個のスリットを備え、該各スリットの位置は相互に対応し、かつ、フィンユニット中の一群のフィンには他のフィンのスリットに相対してその底端に至る凹型溝を設けてフィンユニットに加圧固定部材を該底端に収容する凹溝２１３を形成し、
該加圧固定部材は、該凹溝底端に位置して収容されて該スタッキングされたフィンユニットの各放熱フィンを押圧してフィンユニットを定位する位置に置かれ、該放熱フィンユニットの上記スリットを挿通した該係合具係合具本体アーム４１により該加圧固定部材上面の加圧面を押圧することにより、加圧面に圧力を加える時、該加圧面により応力を平均に分担し、該加圧固定部材下方と接触する該各放熱フィン上において応力を分散することができる。
【考案の効果】
【０００９】
本考案は、加重面積を拡大し、応力を平均に分散することで、従来の放熱フィンに存在する変形の問題を改善することができ、これにより放熱器の放熱効率を維持し、またコスト低下が可能である。
【図面の簡単な説明】
【００１０】
【図１】従来の構造の立体分解図である。
【図２】従来の構造の立体模式図である。
【図３】本考案の立体分解図である。
【図４】本考案の立体模式図である。
【図５】本考案の局部模式図である。
【図６】本考案の操作部下圧の模式図である。
【図７】本考案加圧固定部材の実施模式図一である。
【図８】本考案の局部俯瞰模式図である。
【図９】本考案加圧固定部材の実施模式図二である。
【図１０】本考案の局部断面模式図一である。
【考案を実施するための形態】
【００１１】
以下に図面を参照しながら本考案を実施するための最良の形態について詳細に説明する。
【実施例】
【００１２】
図３、図４、図５に示すように、本考案の放熱器係合具は、複数の放熱フィン21を備える放熱フィンユニット2、加圧面31を備える加圧固定部材3、係合具本体アーム41を備える係合具4からなる。
【００１３】
該各放熱フィン21は相互に平行に、対称に配列され、少なくとも１個の熱導管211を貫通して設置する。
該各放熱フィン21間は、それぞれ適当な間隔距離212を設ける。
【００１４】
該各放熱フィン21は、適当な位置に、係合具本体アーム41を通すため少なくとも１個のスリットを設置し、かつ該各放熱フィン21の該各スリットの位置は、相互に対応して設けるとともに、適当数の隣接する放熱フィンに対して該スリット底端部に至る高さに該加圧固定部材3を収容する凹型溝を形成する。
【００１５】
これらの凹型溝によりフィンユニットにはその低部近くに至る凹溝213が形成され、これら複数の放熱フィンの凹型溝から構成される凹溝２１３に該加圧固定部材3を収容し、かつ、該加圧固定部材3の上面は、係合具本体アーム41の荷重を受ける加圧面31とする。
【００１６】
該係合具本体アーム41は、該放熱フィン21のスリットに挿通してセットし、該各放熱フィン21外側を上から下方に向けて挟圧するようにして設置する。
【００１７】
該係合具本体アーム41は、その中央位置に該加圧面31に当接する凸出端411を形成し、かつ該係合具本体アーム41一端には相手側接続台側の係合具に係合して放熱フィンを固定する係合設置部42を設ける。
該係合設置部42は偏心カム軸421を設け、該偏心カム軸421には上下に移動可能な嵌設部422を設置し、該偏心カム軸421に対して偏心カム43を設置する。（図７，８）
【００１８】
次に、図３、図５、図６に示すように、該加圧固定部材3が、該放熱フィン21の凹溝213位置に収容してセットされ、該加圧固定部材3は該放熱フィン21のスリット間に安定して収容され、該加圧固定部材3の上平面の加圧面31は、該係合具4の係合具本体アーム41に接触する。
【００１９】
該係合具本体アーム41は中央位置に凸出端411を形成し、該凸出端411は該加圧面31上に接触する。
該係合具4一端の係合設置部42は相手側接続台側の係合具(図示なし)片側に設置され、かつ該係合設置部42の嵌設部422は相手側接続台側の係合具に係合して固定される。
【００２０】
使用者が、偏心カム43のレバー44を操作すると、該偏心カム43は該偏心カム軸421上において該嵌設部422を上下スライド移動させ、相手側接続台上に係合して固定される。
さらに、該偏心カム43により、該係合具4は該加圧固定部材3の加圧面31に安定して押圧力を作用させる。
【００２１】
図において、該加圧面31は放熱フィンの一部に適用されているが、その数、範囲を増設することにより、該凸出端411が該加圧面31を押圧する作用を多くの放熱フィンに及ぼしてより安定に該放熱フィン21を保持、固定することができる。
こうして、該係合具4の係合圧力は、該加圧面31と該放熱フィン21に平均して分散し、これにより応力集中が引き起こす該各放熱フィン21変形の問題を解決することができる。
【００２２】
次に、図７、図８に示すように、該加圧固定部材3両側辺には、少なくとも１個の嵌合ブロック32を配置する。
該嵌合ブロック32は、該放熱フィン21間の間隔距離212を維持し、これにより該加圧固定部材3を該スリット213底部に設置する時、該加圧固定部材3両側の嵌合ブロック32は、該間隔距離212を維持して放熱フィンを支持固定する。
【００２３】
これにより、該加圧固定部材3は、該加圧面31と該放熱フィン21により加重を分散されると同時に、該嵌合ブロック32によっても該放熱フィン21を定位することで、該加圧固定部材3が該放熱フィン21間において緩むことを防止する。
【００２４】
さらに、図９、図１０に示すように、該加圧固定部材3は該加圧面31反対面に放熱フィンを嵌合して固定する嵌合溝33を備える。
該放熱フィン21は、該加圧固定部材3の嵌合溝33に対応し、該加圧固定部材3を該凹溝213底端に設置する時、該加圧固定部材3反対側面の嵌合溝33は、該放熱フィン21を嵌設し、該間隔距離212を保って固定する。
【００２５】
こうして、該加圧固定部材3は、該加圧面31と該放熱フィン21により加重を分散されると同時に、該嵌合溝33によっても該放熱フィン21を定位し、これにより該加圧固定部材3が該放熱フィン31間において緩むことを防止する。
該凹溝213に接する切欠部の形状は、円弧状、V字状、コの字状の内のいずれかである。
【００２６】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２７】
本考案は、加圧面積を拡大し、応力を平均に分散することで、従来の放熱フィンに存在する変形の問題を改善することができ、これにより放熱器の放熱効率を維持し、またコスト低下が可能である。
【符号の説明】
【００２８】
1  放熱器
11  放熱フィン
111  熱導管
12  係合具係合具本体アーム
121  嵌設部
122  操作部
13  固定嵌合部
2  放熱フィンユニット
21  放熱フィン
211  熱導管
212  間隔距離
213  凹溝
3  加圧固定部材
31  加圧面
32  嵌合ブロック
33  嵌合溝
4  係合具
41  係合具本体アーム
411  凸出端
42  係合設置部
421  偏心カム軸
422  嵌設部
43  操作部
【図１】
0003150350.tif 000003
【図２】
0003150350.tif 000004
【図３】
0003150350.tif 000005
【図４】
0003150350.tif 000006
【図５】
0003150350.tif 000007
【図６】
0003150350.tif 000008
【図７】
0003150350.tif 000009
【図８】
0003150350.tif 000010
【図９】
0003150350.tif 000011
【図１０】
0003150350.tif 000012